(57)【要約】【課題】ＶＨＦ帯のＴＶ信号が完全停波した場合にはＶＨＦ増幅回路に対して無駄な電力を送り続けることを地上においての操作で中止できる増幅装置を提供しようとする。【解決手段】特定の場所に備えさせる電源部の整流回路から出力された電力は、複数箇所に配設する各増幅装置において、正極性の半波の電力と、負極性の半波の電力の内、何れか一方の極性の電力を、ＶＨＦ増幅回路に供給し、残る他方の極性の電力をＵＨＦ増幅回路に供給して、ＶＨＦ増幅回路とＵＨＦ増幅回路とを夫々作動させるようにし、回路遮断手段でＶＨＦ増幅回路に供給される極性の側の回路を切断することにより、上記夫々の増幅装置におけるＶＨＦ増幅回路に供給される極性の半波の電力を、各ＶＨＦ増幅回路に送出させないようにして各増幅装置における各ＶＨＦ増幅回路を夫々休止状態にする。【選択図】    図１
2009021766.tif 000002
【特許請求の範囲】
【請求項１】
夫々入力されるＶＨＦ信号とＵＨＦ信号とを夫々増幅して出力するようにしてある複数の増幅装置を、複数箇所に配設すると共にそれらの増幅装置は順次縦続状に接続して構成される伝送システムであって、上記夫々の増幅装置は、入力側がＶＨＦアンテナからのＶＨＦ信号入力端に接続され、出力側が出力端子に接続されているＶＨＦ増幅回路と、
入力側がＵＨＦアンテナからのＵＨＦ信号入力端に接続され、出力側が上記出力端子に接続されているＵＨＦ増幅回路とを備え、上記両増幅回路からの信号は、夫々が備える出力端子に伝送線を接続して次段に向けて伝送するようにしてあり、一方、特定の場所には電源部を備え、上記複数の増幅装置における各増幅回路において必要とする電力を上記伝送線に重畳させて送出し、上記ＶＨＦ増幅回路と、ＵＨＦ増幅回路とを夫々作動させるようにしている伝送システムにおいて、
上記特定の場所に備えさせる電源部には、交流電源の電力を、正極性の半波の電力と負極性の半波の電力とに選別する為の整流回路を備えさせ、上記電源部の整流回路から出力された電力は、上記複数箇所に配設する各増幅装置において、上記正極性の半波の電力と、負極性の半波の電力の内、何れか一方の極性の電力を、上記ＶＨＦ増幅回路に供給し、残る他方の極性の電力をＵＨＦ増幅回路に供給して、上記ＶＨＦ増幅回路とＵＨＦ増幅回路とを夫々作動させるようにし、更に上記電源部においては、上記整流回路におけるＶＨＦ増幅回路に供給される極性の側の回路に回路遮断手段を介設し、上記回路遮断手段で該回路を切断することにより、上記夫々の増幅装置におけるＶＨＦ増幅回路に供給される極性の半波の電力を、上記各ＶＨＦ増幅回路に送出させないようにして上記各増幅装置における各ＶＨＦ増幅回路を夫々休止状態にできるようにしてあることを特徴とする伝送システム。
【請求項２】
夫々入力されるＶＨＦ信号とＵＨＦ信号とを夫々増幅して出力するようにしてある複数の増幅装置を、複数箇所に配設すると共にそれらの増幅装置は順次縦続状に接続して構成される伝送システムであって、上記夫々の増幅装置は、入力側がＶＨＦアンテナからのＶＨＦ信号入力端に接続され、出力側が出力端子に接続されているＶＨＦ増幅回路と、
入力側がＵＨＦアンテナからのＵＨＦ信号入力端に接続され、出力側が上記出力端子に接続されているＵＨＦ増幅回路とを備え、上記両増幅回路からの信号は、夫々が備える出力端子に伝送線を接続して次段に向けて伝送するようにしてあり、一方、特定の場所には電源部を備え、上記複数の増幅装置における各増幅回路において必要とする電力を上記伝送線に重畳させて送出し、上記ＶＨＦ増幅回路と、ＵＨＦ増幅回路とを夫々作動させるようにしている伝送システムにおいて、
上記特定の場所に備えさせる電源部には、出力させる直流電圧を、所定電圧と、所定電圧よりも高い高所定電圧とに高低切り替えできるようにした電圧切替手段を備えさせ、一方、上記複数箇所に配設される各増幅装置においては、ＵＨＦ増幅回路に対しては上記電源部からの電圧が高低変動しても所定電圧を出力するようにした定電圧回路を介して電力を供給するように接続し、ＶＨＦ増幅回路に対しては、上記電源部からの電圧が高所定電圧の場合は所定電圧を出力するようにし、上記電源部からの電圧が所定電圧の場合は所定電圧を出力しないようにした電圧変更手段を介して電力を供給するように接続して、常時は上記電源部から高所定電圧の電力を供給して、上記ＶＨＦ増幅回路とＵＨＦ増幅回路とを夫々作動させ、上記電源部においては、上記複数箇所に配設される各増幅装置のＵＨＦ増幅回路の動作を続行させた状態で、上記複数箇所に配設される各増幅装置のＶＨＦ増幅回路を休止状態にする場合には、電圧切替手段を切り替えて所定電圧の電力を出力し、上記複数箇所に配設される各増幅装置のＵＨＦ増幅回路の動作を続行させた状態で、夫々のＶＨＦ増幅回路を休止状態にすることができるようにしてあることを特徴とする伝送システム。
【請求項３】
夫々入力されるＶＨＦ信号とＵＨＦ信号とを夫々増幅して出力するようにしてある複数の増幅装置を、複数箇所に配設すると共にそれらの増幅装置は順次縦続状に接続して構成される伝送システムであって、上記夫々の増幅装置は、入力側がＶＨＦアンテナからのＶＨＦ信号入力端に接続され、出力側が出力端子に接続されているＶＨＦ増幅回路と、
入力側がＵＨＦアンテナからのＵＨＦ信号入力端に接続され、出力側が上記出力端子に接続されているＵＨＦ増幅回路とを備え、上記両増幅回路からの信号は、夫々が備える出力端子に伝送線を接続して次段に向けて伝送するようにしてあり、  一方、特定の場所には電源部を備え、上記複数の増幅装置における各増幅回路において必要とする電力を上記伝送線に重畳させて送出し、上記ＶＨＦ増幅回路と、ＵＨＦ増幅回路とを夫々作動させるようにしている伝送システムにおいて、
上記特定の場所に備えさせる電源部には、常態では、複数箇所に配設される各増幅装置に向けて出力させる直流の電力に電力制御用のパルスを重畳させ、又は重畳させないようにしたパルスの重畳手段を備えさせ、一方、上記複数箇所に配設される各増幅装置においては、ＶＨＦ増幅回路の電力供給回路に、予めパルスの有無によって入り切り作動するスイッチ要素を介設して常時は上記パルスの有無によって入り切り作動するスイッチ要素を介して上記ＶＨＦ増幅回路への電力の供給を可能にし、上記電源部から出力された電力を、上記複数箇所に配設される各増幅装置にける上記ＶＨＦ増幅回路と、ＵＨＦ増幅回路に供給して上記ＶＨＦ増幅回路とＵＨＦ増幅回路とを夫々作動させ、上記電源部において、上記複数箇所に配設される各増幅装置に備えさせるＵＨＦ増幅回路の動作を続行させた状態で、上記複数箇所に配設される各増幅装置における上記ＶＨＦ増幅回路を休止状態にする場合には、上記特定の場所における電源部において、上記電力制御用のパルスの重畳を中止し、又は重畳を開始して、上記複数箇所に配設される各増幅装置におけるパルスの有無によって入り切り作動するスイッチ要素を開放して、各ＶＨＦ増幅回路に供給される電力を送出させないようにして、上記ＵＨＦ増幅回路の動作を続行させた状態でＶＨＦ増幅回路を休止状態にできるようにしたことを特徴とする伝送システム。
【発明の詳細な説明】
【技術分野】
【０００１】
本発明は、ＴＶ信号を伝送するシステムに関し、詳しくはＶＨＦ信号、ＵＨＦ信号等のＴＶ信号を複数の増幅装置を縦続させて夫々で増幅し、多くの箇所に良質のＴＶ信号を送るようにすると共に、例えば管理事務所などの特定の場所から上記各所に設置した増幅装置に向けて電力を送るようにした伝送システムに関する。
【背景技術】
【０００２】
従来より、アンテナで受信したＶＨＦ信号、ＵＨＦ信号等のＴＶ信号を高所に設けられた増幅部で増幅し、地上に設置されるテレビ受像機に向けてＴＶ信号を送るようにすると共に、地上から高所に設置した増幅部に向けて電力を送るようにした増幅装置は広く知られている。例えばこの種の装置においては特許文献１に示されるものがある。
また、アンテナで受信したＶＨＦ信号、ＵＨＦ信号等のＴＶ信号を各所に設けられた複数の増幅装置で順次増幅し、各所に設置されるテレビ受像機に向けてＴＶ信号を分配しながら送るようにすると共に、１カ所から上記各所に設置した増幅装置に向けて電力を送るようにした伝送システムも広く知られている。
【０００３】
上記のようにすると、増幅装置をアンテナ近くに置くことができ、アンテナから入力される微弱なＴＶ信号を至近距離において増幅し、更に各所に設けられた複数の増幅装置で順次増幅し、各所に設置されるテレビ受像機に向けて信号を送りだすことによって、良質のＴＶ信号を各所にある受像機に向けて送出することのできる利点がある。
【０００４】
【特許文献１】特開２００４−２０１２５４公報
【発明の開示】
【発明が解決しようとする課題】
【０００５】
上記複数の増幅装置を縦続してなる構成の伝送システムでは、将来ＶＨＦ帯のＴＶ放送が終了し、ＶＨＦ帯のＴＶ信号が完全停波した場合においても、上記各増幅装置におけるＶＨＦ増幅回路に対して電力を送り続けることになり、ＶＨＦ増幅回路において無駄な電力は消費され続けることになる問題点がある。
しかも上記のＶＨＦ帯のＴＶ信号が完全停波した場合において、仮に、ＶＨＦ増幅回路の電力供給を中止しようとしても、ＵＨＦ増幅回路には電力を送り続けなければならないので、ＶＨＦ増幅回路の電力供給のみを中止することのできない悩みがある。
最後の手段として、各所に配設されている複数の増幅装置のケースを夫々開いてＶＨＦ増幅回路の電力供給点を切断することも考えられるが、高所、例えば屋根上に上がって切断作業をすることは、素人には危険を伴い、実用的でない。
【０００６】
本件出願の目的は、将来ＶＨＦ帯のＴＶ放送が終了し、ＶＨＦ帯のＴＶ信号が完全停波した場合には、複数箇所に配設される増幅装置におけるＶＨＦ増幅回路に対して無駄な電力を送り続けることを中止できる増幅装置を提供しようとするものである。
他の目的は、複数箇所に配設される増幅装置における各ＶＨＦ増幅回路に対して無駄な電力を送り続けることを中止する操作が特定の場所においてすることのできる増幅装置を提供しようとするものである。
他の目的及び利点は図面及びそれに関連した以下の説明により容易に明らかになるであろう。
【課題を解決するための手段】
【０００７】
本発明の伝送システムは、夫々入力されるＶＨＦ信号とＵＨＦ信号とを夫々増幅して出力するようにしてある複数の増幅装置９を、複数箇所に配設すると共にそれらの増幅装置９は順次縦続状に接続して構成される伝送システムであって、上記夫々の増幅装置９は、入力側がＶＨＦアンテナ３からのＶＨＦ信号入力端3bに接続され、出力側が出力端子１１に接続されているＶＨＦ増幅回路２５と、入力側がＵＨＦアンテナ４からのＵＨＦ信号入力端4bに接続され、出力側が上記出力端子１１に接続されているＵＨＦ増幅回路３５とを備え、上記両増幅回路からの信号は、夫々が備える出力端子１１に伝送線１２を接続して次段に向けて伝送するようにしてあり、一方、特定の場所1aには電源部１６を備え、上記複数の増幅装置９における各増幅回路において必要とする電力を上記伝送線１２に重畳させて送出し、上記ＶＨＦ増幅回路２５と、ＵＨＦ増幅回路３５とを夫々作動させるようにしている伝送システムにおいて、
上記特定の場所1aに備えさせる電源部１６には、交流電源の電力を、正極性の半波の電力と負極性の半波の電力とに選別する為の整流回路53、54を備えさせ、上記電源部１６の整流回路53、54から出力された電力は、上記複数箇所に配設する各増幅装置９において、上記正極性の半波の電力と、負極性の半波の電力の内、何れか一方の極性の電力を、上記ＶＨＦ増幅回路２５に供給し、残る他方の極性の電力をＵＨＦ増幅回路３５に供給して、上記ＶＨＦ増幅回路とＵＨＦ増幅回路とを夫々作動させるようにし、更に上記電源部１６においては、上記整流回路53、54におけるＶＨＦ増幅回路２５に供給される極性の側の回路に回路遮断手段56aを介設し、上記回路遮断手段56aで該回路を切断することにより、上記夫々の増幅装置９におけるＶＨＦ増幅回路２５に供給される極性の半波の電力を、上記各ＶＨＦ増幅回路２５に送出させないようにして上記各増幅装置９における各ＶＨＦ増幅回路２５を夫々休止状態にできるようにしてある。
【０００８】
また好ましくは、夫々入力されるＶＨＦ信号とＵＨＦ信号とを夫々増幅して出力するようにしてある複数の増幅装置を、複数箇所に配設すると共にそれらの増幅装置は順次縦続状に接続して構成される伝送システムであって、上記夫々の増幅装置は、入力側がＶＨＦアンテナからのＶＨＦ信号入力端に接続され、出力側が出力端子に接続されているＶＨＦ増幅回路と、入力側がＵＨＦアンテナからのＵＨＦ信号入力端に接続され、出力側が上記出力端子に接続されているＵＨＦ増幅回路とを備え、上記両増幅回路からの信号は、夫々が備える出力端子に伝送線を接続して次段に向けて伝送するようにしてあり、一方、特定の場所には電源部を備え、上記複数の増幅装置における各増幅回路において必要とする電力を上記伝送線に重畳させて送出し、上記ＶＨＦ増幅回路と、ＵＨＦ増幅回路とを夫々作動させるようにしている伝送システムにおいて、
上記特定の場所に備えさせる電源部には、出力させる直流電圧を、所定電圧と、所定電圧よりも高い高所定電圧とに高低切り替えできるようにした電圧切替手段を備えさせ、一方、上記複数箇所に配設される各増幅装置においては、ＵＨＦ増幅回路に対しては上記電源部からの電圧が高低変動しても所定電圧を出力するようにした定電圧回路を介して電力を供給するように接続し、ＶＨＦ増幅回路に対しては、上記電源部からの電圧が高所定電圧の場合は所定電圧を出力するようにし、上記電源部からの電圧が所定電圧の場合は所定電圧を出力しないようにした電圧変更手段を介して電力を供給するように接続して、常時は上記電源部から高所定電圧の電力を供給して、上記ＶＨＦ増幅回路とＵＨＦ増幅回路とを夫々作動させ、上記電源部においては、上記複数箇所に配設される各増幅装置のＵＨＦ増幅回路の動作を続行させた状態で、上記複数箇所に配設される各増幅装置のＶＨＦ増幅回路を休止状態にする場合には、電圧切替手段を切り替えて所定電圧の電力を出力し、上記複数箇所に配設される各増幅装置のＵＨＦ増幅回路の動作を続行させた状態で、夫々のＶＨＦ増幅回路を休止状態にすることができるようにする。
【０００９】
さらに好ましくは、夫々入力されるＶＨＦ信号とＵＨＦ信号とを夫々増幅して出力するようにしてある複数の増幅装置を、複数箇所に配設すると共にそれらの増幅装置は順次縦続状に接続して構成される伝送システムであって、上記夫々の増幅装置は、入力側がＶＨＦアンテナからのＶＨＦ信号入力端に接続され、出力側が出力端子に接続されているＶＨＦ増幅回路と、入力側がＵＨＦアンテナからのＵＨＦ信号入力端に接続され、出力側が上記出力端子に接続されているＵＨＦ増幅回路とを備え、上記両増幅回路からの信号は、夫々が備える出力端子に伝送線を接続して次段に向けて伝送するようにしてあり、一方、特定の場所には電源部を備え、上記複数の増幅装置における各増幅回路において必要とする電力を上記伝送線に重畳させて送出し、上記ＶＨＦ増幅回路と、ＵＨＦ増幅回路とを夫々作動させるようにしている伝送システムにおいて、
上記特定の場所に備えさせる電源部には、常態では、複数箇所に配設される各増幅装置に向けて出力させる直流の電力に電力制御用のパルスを重畳させ、又は重畳させないようにしたパルスの重畳手段を備えさせ、一方、上記複数箇所に配設される各増幅装置においては、ＶＨＦ増幅回路の電力供給回路に、予めパルスの有無によって入り切り作動するスイッチ要素を介設して常時は上記パルスの有無によって入り切り作動するスイッチ要素を介して上記ＶＨＦ増幅回路への電力の供給を可能にし、上記電源部から出力された電力を、上記複数箇所に配設される各増幅装置にける上記ＶＨＦ増幅回路と、ＵＨＦ増幅回路に供給して上記ＶＨＦ増幅回路とＵＨＦ増幅回路とを夫々作動させ、上記電源部において、上記複数箇所に配設される各増幅装置に備えさせるＵＨＦ増幅回路の動作を続行させた状態で、上記複数箇所に配設される各増幅装置における上記ＶＨＦ増幅回路を休止状態にする場合には、上記特定の場所における電源部において、上記電力制御用のパルスの重畳を中止し、又は重畳を開始して、上記複数箇所に配設される各増幅装置におけるパルスの有無によって入り切り作動するスイッチ要素を開放して、各ＶＨＦ増幅回路に供給される電力を送出させないようにして、上記ＵＨＦ増幅回路の動作を続行させた状態でＶＨＦ増幅回路を休止状態にできるようにする。
【発明の効果】
【００１０】
以上のように本発明は、特定の場所に備えさせる電源部において操作することにより、複数箇所に配設される増幅装置９の夫々においては、夫々伝送線に重畳されて受け取る電力の内、ＶＨＦ増幅回路に供給される電力のみを遮断できる特長があり、各増幅装置９のＵＨＦ増幅回路に悪影響を与えることなく夫々ＶＨＦの増幅回路に対する無駄な電力を節減させる上に大きな効果がある。
その上、複数箇所に配設される増幅装置９に夫々存在するＶＨＦの増幅回路の電源を遮断する場合の人手間は、上記特定の場所において極めて迅速にすることのできる特長があり、その上、安全に行うことのできる作業上の効果もある。
【発明を実施するための最良の形態】
【００１１】
以下本発明の実施の形態を図面を用いて説明する。図１は、集合住宅、オフィスビル等の多数のＴＶ設備を備える造営物と、造営物の高所に配置された複数種のアンテナ及びアンテナと増幅装置９との関係を説明するための概念図。
図２と、図３とは、ＶＨＦ帯のＴＶ信号とＵＨＦ帯のＴＶ信号との受信回路と、それにＢＳ／ＣＳ帯の受信回路を加えた増幅装置の回路図を示し、しかも複数の増幅装置は順次縦続状に接続されている状態を説明する為の回路図である。
さらに複数の増幅装置９に対しては夫々電力の供給回路があることを説明する為の回路図である。
なお図２と、図３は紙面の都合で分離したものであるが、図２と、図３において※２と、※３の符号は相互に接続されている状態を意味するものである。
図４と、図５とは、ＶＨＦ帯のＴＶ信号とＵＨＦ帯のＴＶ信号との受信回路と、それにＢＳ／ＣＳ帯の受信回路を加えた増幅装置の回路図を示し、しかも複数の増幅装置は順次縦続状に接続されている状態を説明する為の回路図である。
さらに複数の増幅装置９に対しては夫々電力の供給回路があることを説明する為の回路図である。
なお図４と、図５は紙面の都合で分離したものであるが、図４と、図５において※４と、※５の符号は相互に接続されている状態を意味するものである。
【００１２】
図６と、図７とは、ＶＨＦ帯のＴＶ信号とＵＨＦ帯のＴＶ信号との受信回路と、それにＢＳ／ＣＳ帯の受信回路を加えた増幅装置の回路図を示し、しかも複数の増幅装置は順次縦続状に接続されている状態を説明する為の回路図である。
さらに複数の増幅装置９に対しては夫々電力の供給回路があることを説明する為の回路図である。
なお図６と、図７は紙面の都合で分離したものであるが、図６と、図７において※６と、※７の符号は相互に接続されている状態を意味するものである。
図８の（Ａ）と（Ｂ）は共に電源部のケースと回路遮断手段の関係を説明する為の斜視図。
図９はＵＨＦ帯における地上アナログ放送と地上デジタル放送が利用している周波数帯域と、将来地上デジタル放送の受信に用いられる周波数帯域との比較図である。図１０は電圧変更手段の回路図を示す。
【００１３】
なお上記図に表れる技術的事項においては、図３、５、７に夫々表れる電源部１６の構成，選択手段３２、図２、３に表れる負極性、正極性の通過回路素子４６、４７等に係わる構成、図４、５に表れる電圧変更手段４６に係わる構成、図６、７に表れる電力制御手段４７に係わる構成、特定の場所に備えさせる電源部１６において操作することにより、複数箇所に縦続状態で配設される増幅装置９の夫々においては、夫々伝送線に重畳されて受け取る電力の内、ＶＨＦ増幅回路に供給される電力のみを遮断する技術的事項に係わる構成等について以下の説明に於て加えられる新規な技術的事項（部材構成、組合せ、機能等）の説明に係わる事項は別論として、他の技術的事項、例えば特許文献１に開示される等して、当業者間において広く知られている技術的事項（技術常識）についての説明は重複するので、この明細書においては説明を一部省略する。
【００１４】
図１において、１は、多階建ての集合住宅、オフィスビル、特定地域に散在する多数からなる集落（団地）等の多数のＴＶ設備を備える造営物（建造物）の存在を示し、２は、造営物１の高所に樹立させた支柱を示す。３、４、５、８、９は、高所に配設された周知のＶＨＦアンテナ、ＵＨＦアンテナ、BS・CSアンテナ、増幅装置９を内蔵するケース、増幅装置等を示す。3a、4a、5a、１１、１２は、増幅装置９のＶＨＦ入力端子、ＵＨＦ入力端子、BS・CS入力端子、出力端子、伝送線（同軸ケーブル）等を示す。造営物１の内の８、９、１５、１６、１７、15a、２１は夫々周知の増幅装置９を内蔵するケース、増幅装置、分配器、電源部（電源供給装置）、テレビ受像機、テレビ端子、電源出力端子を示し、１２は同軸ケーブルを示す。
なお造営物１に係わる同軸ケーブル１２は、図２〜７からも明らかなように電源部１６から、複数箇所に配設され、かつ、順次縦続状に接続されている複数の増幅装置９に接続されており、それらの増幅装置９、９・・９において必要とする電力を重畳させて送出する。一方、上記ＶＨＦアンテナ、ＵＨＦアンテナ、BS・CSアンテナからのＴＶ信号は、図示のように複数が縦続されている増幅装置９の内、任意の増幅装置９に連なる各分配器１５を通して夫々テレビ信号を送ることができるようにしてある。
【００１５】
次に図２〜図７に良く表れる構成は、夫々入力されるＶＨＦ信号とＵＨＦ信号とを夫々増幅して出力するようにしてある複数の増幅装置９を、複数箇所に配設すると共にそれらの増幅装置９は順次縦続状に接続して構成される伝送システムであって、上記夫々の増幅装置９は、入力側がＶＨＦアンテナ３からのＶＨＦ信号入力端3bに接続され、出力側が出力端子１１に接続されているＶＨＦ増幅回路２５と、入力側がＵＨＦアンテナ４からのＵＨＦ信号入力端4bに接続され、出力側が上記出力端子１１に接続されているＵＨＦ増幅回路３５とを備え、上記両増幅回路からの信号は、夫々が備える出力端子１１に伝送線１２を接続して次段に向けて伝送するようにしてあり、一方、特定の場所1aには電源部１６を備え、上記複数の増幅装置９における各増幅回路において必要とする電力を上記伝送線１２に重畳させて送出し、上記ＶＨＦ増幅回路２５と、ＵＨＦ増幅回路３５とを夫々作動させるようにしてある。
【００１６】
この点を具体的に以下説明する。上記複数の増幅装置９（２台以上の任意の台数）は、造営物１に設置されるアンテナの近傍（比較的高所）を含めて任意の各所（周知のように信号のレベルを考慮して増幅の必要性が生じるであろう場所）に配置される。
複数の増幅装置９から各所に配置される多数の受像機１７に向けての信号は、周知のように（図１参照）夫々近くの増幅装置９における出力端子１１に連なる伝送線１２に介設されている１または複数個の分配器（分岐器であってもよい）１５を通して伝送されるようにしてある。
一方、特定の場所1a 、例えば一般に地上近くに設置される管理人室（警備員室）、或いは団地（集落）の入口近くに設置されるチェックポイント等、任意の場所に電源部１６を備える。この電源部１６からは上記複数の増幅装置９において必要とする電力を、上記夫々の伝送線１２に重畳させて送出し、図示のように縦続状態で接続されている複数の増幅装置９に供給し、上記複数の増幅装置９における夫々のＶＨＦ増幅回路２５と、ＵＨＦ増幅回路３５と、ＢＳ・ＣＳ増幅回路４２とを夫々作動させるようにしてある。
【００１７】
上記複数の増幅装置９においては夫々、例えば図２〜７からも明らかなように夫々入力側にＶＨＦアンテナ３に接続することのできるＶＨＦ信号入力端子3aと、入力側にＵＨＦアンテナ４に接続することのできるＵＨＦ信号入力端子4aと、入力側にＢＳ・ＣＳアンテナ５に接続することのできるＢＳ・ＣＳ信号入力端子5aとを備える。出力側には伝送線１２が接続される出力端子１１を備える。また、
ＶＨＦ信号入力端子3aと出力端子１１の間にはＶＨＦ増幅回路２５が、ＵＨＦ信号入力端子4aと出力端子１１の間にはＵＨＦ増幅回路３５が、ＢＳ・ＣＳ信号入力端子5aと出力端子１１の間にはＢＳ・ＣＳ増幅回路４２が夫々図示のように接続されている。
【００１８】
なお上記ＶＨＦ信号入力端子3aと出力端子１１との間に接続されているＶＨＦ増幅回路２５と、上記ＵＨＦ信号入力端子4aと出力端子１１との間に接続されているＵＨＦ増幅回路３５との夫々前後に配置する回路としては周知のように種々な要求に対応して好みの回路を備えさせればよい。図２〜図７においては次のような簡易な回路を例示した。図において２６、２７、２８は周知のＶＨＦ帯通過フィルタと、ＶＨＦ・ＵＨＦ帯通過フィルタと、電源分離フィルタの存在を示し、また３１、３６は、ハイパスフィルタ、ＵＨＦ帯通過フィルタ等の存在を示した。3b、4bは回路上に介設したＶＨＦ信号入力端と、ＵＨＦ信号入力端の存在を示す。
【００１９】
Ｓ6は、ＶＨＦ信号入力端3bと、ＵＨＦ信号入力端子4aとの間を入り切りする為のスイッチを示し、図２、４、６のように夫々のアンテナからＴＶ信号を対応導入する場合は解放させ、ＶＨＦ信号とＵＨＦ信号が混合された状態で伝送線１２を通して入力される場合は、それらの混合された信号の内、ＶＨＦ信号を取り込み可能にＯＮの状態にする。
Ｓ7は、ＢＳ・ＣＳ増幅回路４２と、ＵＨＦ信号入力端子4aとの間を入り切りする為のスイッチを示し、図２、４、６のように夫々のアンテナからＴＶ信号を対応導入する場合は解放させ、ＢＳ・ＣＳ信号とＵＨＦ信号が混合された状態で伝送線１２を通して入力される場合は、それらの混合された信号の内、ＢＳ・ＣＳ信号を取り込み可能にＯＮの状態にする。
Ｓ5は、電源部１６から伝送線１２に重畳されて送電されてくる電力を次々と前段に向けて送る為のスイッチを示し、必要に応じて図示のように入り切りして用いるものである。
なお、Ｓ5、Ｓ6、Ｓ7の各スイッチは、夫々ケース外から、或いはケースの蓋を開いた状態で、手動で操作可能に構成してある。
以上のように図２〜図７に表れるように構成すると、アンテナ（３、４、５）で受信した信号は、複数箇所に縦続状態で配設される増幅装置９を次々と経由し、夫々増幅され、夫々の増幅装置に対応する伝送線１２を介して次段に送られ、また各所に配設される分配器（分岐器）１５から取り出された信号はテレビ受信機に送られる。
【００２０】
また上記ＢＳ・ＣＳ信号入力端子5aと出力端子１１との間に接続されているＢＳ・ＣＳ増幅回路４２の前後に配置する回路としては周知のように種々な回路が知られているので種々な要求に対応して好みの回路を備えさせればよい。図２〜図７においては、ＢＳアンテナに向けて電力を供給する為の電源分離フィルタ４０、定電圧回路４５、中間周波数帯通過フィルタ（１０３２〜２６０２MHz）４１、ハイパスフィルタ（BS・CS信号通過用）４３等を図示のように例示した。
２９は周知の衛星放送受信用コンバーターの出力信号（ＢＳ・ＣＳ信号等）を通過させるフィルタで、ハイパスフィルタ、バンドパスフィルタとも称されている。5bは回路上に介設したＢＳ・ＣＳ信号入力端の存在を示す。
さらには図２〜図７のように、公知の回路要素を加えることによって回路構成することによってＢＳ・ＣＳアンテナで受信したテレビ信号は、端子5a（5b）から入り、夫々の増幅装置で増幅されて、夫々の出力端子１１に至り、各所の分配器（分岐器）から受像機１７に適正な信号を届けることができる。
【００２１】
次に、上記ＵＨＦ信号入力端子4aとＵＨＦ増幅回路３５との間には、図２〜図７から明らかなようにＵＨＦ帯域通過回路３８と、特定帯域低減回路３９と、それらの両回路を選択利用可能に切り替える為の切替手段３７とを備えている選択手段３２が介在させてある。
上記ＵＨＦ帯域通過回路３８は、ＵＨＦ信号入力端子４ａに連なる入力端３３と、ＵＨＦ増幅回路３５に連なる出力端３４との間に介在させるもので、切替スイッチ37b を閉じた状態（実線）で用いるものである。
【００２２】
上記特定帯域低減回路３９は、図９（B）に表れている地上デジタル放送帯（470~710MHz）の右側に表示した帯域、即ち、図９（A）のアナログ放送終了後に他へ転用されるであろうところの帯域に入来することが予想される妨害波を低減させるためのバンドストップ用のフィルタの存在を示し、例えばバンドエリミネータフィルタ、トラップ回路など任意の回路が用いられる。
この特定帯域低減回路３９はＵＨＦ信号入力端子４ａ（4b）に連なる入力端３３と、ＵＨＦ増幅回路３５に連なる出力端３４との間に介在させるもので、切替スイッチ37b を破線で表示した側（図２〜図７において下側）に切り替えた状態で用いるものである。すると当然のことながら、ＵＨＦ増幅回路３５に入力される上記妨害波は低減され、ＵＨＦ増幅回路３５は望ましい動作状態になる。
【００２３】
図２〜図７に示される上記切替手段３７は、例えば説明を簡便にするためにリレー回路を用いた例を示す。
図２，３においては、コイル37a は、アース37cと電源端子（負極）37e との間に接続されている。電源端子（負極）37eは、ＶＨＦ増幅回路２５に供給される極性と同じ半波の電力が供給される状態となるように負極性通過回路素子４６に接続されている。
従ってＶＨＦ増幅回路２５に半波の電力（例えば電圧が−１５ｖ）が供給されている状態では、切替スイッチ37bは実線の位置で閉じた状態となり、ＵＨＦ帯域通過回路３８を利用可能に選択される。上記半波の電力、例えば電圧が−１５ｖの電力が供給されない状態では、切替スイッチ37bは破線の位置で閉じた状態となり、特定帯域低減回路３９が選択利用されることになる。
【００２４】
次に、図４、５においては、コイル37a は、アース37cと電源端子37e との間に接続されている。電源端子37eはＶＨＦ増幅回路２５に供給される電力と同じ電力が供給されるに接続されている。
従ってＶＨＦ増幅回路２５に電力が供給されている状態では、切替スイッチ37bは実線の位置で閉じた状態となり、ＵＨＦ帯域通過回路３８を利用可能に選択される。上記電力、例えば電圧が１５ｖの電力が供給されない状態では、切替スイッチ37bは破線の位置で閉じた状態となり、特定帯域低減回路３９が選択利用されることになる。
【００２５】
次に、６、７においては、コイル37a は、アース37cと電源端子37e との間に接続されている。電源端子37eはＶＨＦ増幅回路２５に供給される電力が供給される状態となるように接続されている。
従ってＶＨＦ増幅回路２５に電力（例えば所定電圧が１５ｖ）が供給されている状態では、切替スイッチ37bは実線の位置で閉じた状態となり、ＵＨＦ帯域通過回路３８を利用可能に選択される。上記電力、例えば電圧が１５ｖの電力が供給されない状態では、切替スイッチ37bは破線の位置で閉じた状態となり、特定帯域低減回路３９が選択利用されることになる。
【００２６】
次に、図２〜図７に示される電源部１６と、上記複数箇所に配設する各増幅装置においては、次のように構成されている。即ち、特定の場所1aに備えさせる電源部１６においては、上記複数箇所に配設する各増幅装置におけるＶＨＦ増幅回路とＵＨＦ増幅回路とＢＳ・ＣＳ増幅回路４２とを夫々作動させるようにした電力供給手段を備えさせると共に、上記複数箇所に配設する各増幅装置に夫々備えさせるＶＨＦ増幅回路のみ電力供給を遮断する手段を作動させ、ＶＨＦ増幅回路のみの電力供給を遮断できるようにするための、伝送線重畳用の制御信号を発生させる手段を備えさせている。
【００２７】
例えばこの点を以下図２、３と、図４、５と、図６、７との３態様の例を用いて順次説明する。まず図２、３において、
上記特定の場所に備えさせる電源部には、交流電源の電力を、正極性の半波の電力と負極性の半波の電力とに選別する為の整流回路を備えさせ、
上記電源部の整流回路から出力された電力は、上記複数箇所に配設する各増幅装置において、上記正極性の半波の電力と、負極性の半波の電力の内、何れか一方の極性の電力を、上記ＶＨＦ増幅回路に供給し、残る他方の極性の電力をＵＨＦ増幅回路に供給して、上記ＶＨＦ増幅回路とＵＨＦ増幅回路とを夫々作動させるようにし、
更に上記電源部においては、上記整流回路におけるＶＨＦ増幅回路に供給される極性の側の回路に回路遮断手段を介設し、上記回路遮断手段で該回路を切断することにより、上記夫々の増幅装置におけるＶＨＦ増幅回路に供給される極性の半波の電力を、上記各ＶＨＦ増幅回路に送出させないようにして上記各増幅装置における各ＶＨＦ増幅回路を夫々休止状態にできるようにしてある。
【００２８】
さらにこの点の構成を具体的に説明する。電源部１６にあっては、ＡＣプラグ５０を通して受け取る交流電源（商用周波数）の電力を、正極性の半波の電力と負極性の半波の電力とに選別する為の整流回路を備えさせる。
上記電源部の整流回路（負極性素子５３と正極性素子５４とからなり、正極性の半波の電力と負極性の半波の電力とを選別する回路）から出力された電力は、伝送線重畳用の制御信号になる。上記増幅装置９において、上記正極性の半波の電力と、負極性の半波の電力の内、何れか一方の極性の電力、例えば負極性の半波の電力（正極性の半波の電力でも良い）を上記ＶＨＦ増幅回路２５に供給し、残る他方の極性の電力、例えば正極性の半波の電力（負極性の半波の電力でも良い）をＵＨＦ増幅回路３５に供給して、上記ＶＨＦ増幅回路２５とＵＨＦ増幅回路３５とを夫々作動させるようにしてある。
【００２９】
図に示される電源部１６の個々の部材は広く知られているものであって、図8からも理解できるように、16aは任意の硬質材料例えばプラスチック材で形成されたケース本体、16bは凹状に形成されたケースの端子収容室16cを覆う為の開閉自在のケースの蓋、２１は電源出力端子（テレビ信号受入端子）、２２は電源分離フィルタ、２３はテレビ端子、５１は電圧降下用のトランス、５２は中性点（アース）、５３は整流器における負極性素子、５４は整流器における正極性素子を夫々示す。
【００３０】
次に、上記電源部１６においては、図に示されるように上記整流回路におけるＶＨＦ増幅回路２５に供給される極性の側の回路（例えば負極性素子５３の側の回路）に回路遮断手段５６を介設する。この回路遮断手段５６は、必要な時点で電流が遮断されればよいので、例えば図に示されるように汎用の入り切り可能なスイッチで構成しても良いし、図８（Ｂ）に示されているように手近な工具で切断可能な細い電線56aであっても良い。
【００３１】
上記構成のものについて動作を説明する。
ＡＣプラグ５０から入来する商用電源は、トランス５１で低圧となり、整流器における正極性素子５４と負極性素子５３にて夫々半波に整流され、その電力は、中性点（アース）５２に対して任意の電圧、例えば＋１５Vと、−１５Vの電力となる。この電力は、図２、３に示される回路、即ち、複数の各増幅装置９においては、図２、３に表れているように、ＶＨＦ増幅回路のみ電力供給を遮断する手段として、夫々電源分離フィルタ２８に分岐点28aで接続されている負極性電力通過回路素子４６と正極性電力通過回路素子４７を図示のように接続してあり、この接続状態から明らかなように増幅装置９における対応する正極性通過回路素子４７と、負極性通過回路素子４６とを夫々経由して電圧が＋１５Vの電力はＵＨＦ増幅回路３５、BS・CSの増幅回路４２等に給電される。また電圧が−１５Vの電力はＶＨＦ増幅回路２５、選択手段３２の電源端子（負極）37eに供給され、ＶＨＦ増幅回路２５を作動させると共に選択手段３２におけるリレー37a、切替スイッチ37bを作動させて、図２、３に示されるように、ＵＨＦ信号入力端子4aとＵＨＦ増幅回路３５との間に、ＵＨＦ帯域通過回路３８を介在させる。
【００３２】
この状態では、ＶＨＦアンテナ３、ＵＨＦアンテナ４、BS・CSアンテナ５から増幅装置９の夫々のアンテナに係わる入力端子3a、4a、5aに対して対応するテレビ信号が入力される。増幅装置９においては図２、３に示されるような構成であるから、入力端子3a（又は入力端3b）からのテレビ信号はＶＨＦ増幅回路２５で増幅され出力端子１１を、また入力端子4a（又は入力端4b）からのテレビ信号はＵＨＦ増幅回路３５で増幅され出力端子１１を、また入力端子5a（又は入力端5b）からのテレビ信号はＢＳ増幅回路４２で増幅され出力端子１１から伝送線１２を夫々経由して各所に配置されるテレビ受像機１７に適正なテレビ信号を夫々送る。
【００３３】
このような受信状態において、例えば２０１１年にＶＨＦ帯のＴＶ放送が終了すると同時に、ＵＨＦ帯における地上アナログ放送が完全停波した場合には、上記電源部１６における回路遮断手段５６を切断する。すると、負極性素子５３及び負極性通過回路素子４６に係わる半波の電力は遮断され、高所におけるＶＨＦ増幅回路２５は休止状態となり、これに対する電力の供給は終了する。よって以後の電力消費は生じない。
また同時に、選択手段３２におけるリレー37aに対する電力供給も終了し、切替スイッチ37bを作動させて、図２、３に破線で示すように、ＵＨＦ信号入力端子4aとＵＨＦ増幅回路３５との間に、特定帯域低減回路３９を介在させる。これによりＵＨＦ信号入力端子4a（又は入力端4b）から入来する信号の内、前述のように妨害波となる恐れのある帯域を低減（除去）させる。
【００３４】
次に図４、５において、上記特定の場所に備えさせる電源部には、出力させる直流電圧を、所定電圧と、所定電圧よりも高い高所定電圧とに高低切り替えできるようにした電圧切替手段を備えさせ、  一方、上記複数箇所に配設される各増幅装置においては、ＵＨＦ増幅回路に対しては上記電源部からの電圧が高低変動しても所定電圧を出力するようにした定電圧回路を介して電力を供給するように接続し、ＶＨＦ増幅回路に対しては、上記電源部からの電圧が高所定電圧の場合は所定電圧を出力するようにし、上記電源部からの電圧が所定電圧の場合は所定電圧を出力しないようにした電圧変更手段を介して電力を供給するように接続して、常時は上記電源部から高所定電圧の電力を供給して、上記ＶＨＦ増幅回路とＵＨＦ増幅回路とを夫々作動させ、上記電源部においては、上記複数箇所に配設される各増幅装置のＵＨＦ増幅回路の動作を続行させた状態で、上記複数箇所に配設される各増幅装置のＶＨＦ増幅回路を休止状態にする場合には、電圧切替手段を切り替えて所定電圧の電力を出力し、上記複数箇所に配設される各増幅装置のＵＨＦ増幅回路の動作を続行させた状態で、夫々のＶＨＦ増幅回路を休止状態にすることができるようにしてある。
【００３５】
さらにこの点の構成を具体的に説明する。
４６は、複数の各増幅装置９において、図４、５及び図１０に表れているように、ＶＨＦ増幅回路のみ電力供給を遮断する手段として備えさせた電圧変更手段を示し、電圧検出部46aと、電圧制御部46bとを備える。常態においては、端子７１から入力されるＤＣ２０Ｖの電圧はトランジスタ３０を経由して端子７２に出力される。この場合、電圧検出部46aのツェナ電圧が３Ｖのツェナダイオード48aと、電圧制御部46bのツェナ電圧が１５Ｖのツェナダイオード48bとが図４に表れているように接続されているため、端子７２に出力される電圧は、ＤＣ１５Ｖに降下した所定の電圧になる。
従って上記構成によると、図４、５の回路図から明らかなように、ＶＨＦ増幅回路２５と、ＵＨＦ増幅回路３５は、所定電圧の電力を受けて適正に動作するので、ＶＨＦアンテナ３に連なるＶＨＦ信号入力端子3aから上記出力端子１１に適正なＶＨＦ信号を、ＵＨＦアンテナ４に連なるＵＨＦ信号入力端子４ａから上記出力端子１１に適正なＵＨＦ信号を夫々出力でき、伝送線１２と、分配器（分岐器）を介して各所の受像機１７に適正な信号を届けることができるようにしてある。
【００３６】
次に上記端子７１から入力される電圧が、電源部１６における回路切替器５６を切り替えることにより降下し、ＤＣ１５Ｖの所定電圧になった場合は、上記電圧検出部46aのツェナ電圧が３Ｖのツェナダイオード48aと、電圧制御部46bのツェナ電圧が１５Ｖのツェナダイオード48bとの存在により、合算されるツェナ電圧は１８Ｖとなり、このツェナ電圧は、端子７１から入力される電圧のＤＣ１５Ｖ（所定電圧）よりも高くなるため、トランジスタ３０のコレクタ30cの電圧は低く、トランジスタ３０の機能は、スイッチング効果を発揮し、ここで回路遮断を行う。
従って端子７２においては電圧がなくなり、ＶＨＦ増幅回路２５に対する電力の供給及び選択手段３２におけるリレー37aに対する電力は遮断され、ＶＨＦ増幅回路２５は停止し、特定帯域低減回路３９が選択利用されることになる。
【００３７】
図４、５に示される上記切替手段３７は、例えば説明を簡便にするためにリレー回路を用いた例を示す。コイル37a は、アース37cと電源端子37e との間に接続されている。電源端子37eはＶＨＦ増幅回路２５に供給される電力と同じ電力が供給されるに接続されている。従ってＶＨＦ増幅回路２５に電力が供給されている状態では、切替スイッチ37bは実線の位置で閉じた状態となり、ＵＨＦ帯域通過回路３８を利用可能に選択される。上記電力、例えば電圧が１５ｖの電力が供給されない状態では、切替スイッチ37bは破線の位置で閉じた状態となり、特定帯域低減回路３９が選択利用されることになる。
【００３８】
図４、５に示される電源部１６は特定の場所1aに備えさせる。電源部１６には、ＡＣプラグ５０を通して受け取る交流電源（商用周波数）の電力を、直流の電力にする為の整流回路５４を備えさせる。
図４、５に示される電源部１６の個々の部材は広く知られているものであって、前述の図８に示されるようなものであればよい。２１は電源出力端子（テレビ信号受入端子）、２２は電源分離フィルタ、２３はテレビ端子、５１は電圧降下用のトランスを夫々示す。51a、51bはトランスのタップ（中間の口出し点）を示し、51aはＤＣ１５Ｖを電源出力端子２１に送出するためのもの、51bはＤＣ２０Ｖを電源出力端子２１に送出するためのものである。５５は、伝送線１２に対して重畳用の制御信号を発生させる手段を示し、ここでの電圧を切り替えるための電圧切替手段を示す。
【００３９】
次に、上記電源部１６においては、図５に示されるように上記電源出力端子２１に供給される回路に対して回路切替器５６を介設する。この回路切替器５６は、必要な時点で電流が遮断されればよいので、例えば図８に示されるように汎用の入り切り可能なスイッチを組み合わせて利用しても良いし、市販の切り替えスイッチを用いて構成しても良い。
【００４０】
上記構成のものについて動作を説明する。
ＡＣプラグ５０から入来する商用電源は、周知のようにトランス５１で低圧となり、整流器５４において整流され、その電力は端子２１から出力される。この場合切替器５６がDC20V側に選択されていると、端子２１の電圧は、「高所定電圧（ＤＣ20Ｖ）」となっており、図４、５に示される回路の接続状態から明らかなように増幅部９に向かう。この場合途中に低電圧回路47dが存在するので周知のように電圧は、「所定電圧（ＤＣ１５Ｖ）」に降下して対応するＵＨＦ増幅回路３５、BS・CSの増幅回路４２等に給電される。
また端子２１の電圧は、高所定電圧（ＤＣ20Ｖ）になっていても、途中に電圧変更手段46dが存在するので周知のように電圧は、所定電圧（ＤＣ１５Ｖ）に降下して、対応する
電力はＶＨＦ増幅回路２５、選択手段３２の電源端子37eに供給され、ＶＨＦ増幅回路２５を作動させると共に選択手段３２におけるリレー37a、切替スイッチ37bを作動させて、図４、５に示されるように、ＵＨＦ信号入力端子4aとＵＨＦ増幅回路３５との間に、ＵＨＦ帯域通過回路３８を介在させる。
【００４１】
この状態では、ＶＨＦアンテナ３、ＵＨＦアンテナ４、BS・CSアンテナ５から増幅部９の夫々のアンテナに係わる入力端子3a、4a、5aに対して対応するテレビ信号が入力される。増幅部９においては図４、５に示されるような構成であるから、入力端子3aからのテレビ信号はＶＨＦ増幅回路２５で増幅され出力端子１１を、また入力端子4aからのテレビ信号はＵＨＦ増幅回路３５で増幅され出力端子１１を、また入力端子5aからのテレビ信号はＢＳ増幅回路４２で増幅され出力端子１１を夫々経由してテレビ受像機１７に適正なテレビ信号を夫々送る。
【００４２】
このような受信状態において、例えば２０１１年にＶＨＦ帯のＴＶ放送が終了すると同時に、ＵＨＦ帯における地上アナログ放送が完全停波した場合には、上記電源部１６における回路切替器５６を切り替える。すると、端子２１から出力される電圧は「所定電圧（ＤＣ１５Ｖ）」に降下し、この電圧による電力は図４、５から明らかなように定電圧回路47dを経由してＵＨＦ増幅回路３５、ＢＳ増幅回路４２に供給される。一方、電圧変更手段46dにおける端子７２からは、前述したように電圧は生じないので、結局、高所におけるＶＨＦ増幅回路２５は休止状態となり、これに対する電力の供給は終了する。よって以後の電力消費は生じない。
また同時に、選択手段３２におけるリレー37aに対する電力供給も終了し、切替スイッチ37bを作動させて、図４、５に破線で示すように、ＵＨＦ信号入力端子4aとＵＨＦ増幅回路３５との間に、特定帯域低減回路３９を介在させる。これによりＵＨＦ信号入力端子4aから入来する信号の内、前述のように妨害波となる恐れのある帯域を低減（除去）させる。
【００４３】
次に図６、７において、上記特定の場所に備えさせる電源部には、常態では、複数箇所に配設される各増幅装置に向けて出力させる直流の電力に電力制御用のパルスを重畳させ、又は重畳させないようにしたパルスの重畳手段を備えさせ、一方、上記複数箇所に配設される各増幅装置においては、ＶＨＦ増幅回路の電力供給回路に、予めパルスの有無によって入り切り作動するスイッチ要素を介設して常時は上記パルスの有無によって入り切り作動するスイッチ要素を介して上記ＶＨＦ増幅回路への電力の供給を可能にし、上記電源部から出力された電力を、上記複数箇所に配設される各増幅装置にける上記ＶＨＦ増幅回路と、ＵＨＦ増幅回路に供給して上記ＶＨＦ増幅回路とＵＨＦ増幅回路とを夫々作動させ、上記電源部において、上記複数箇所に配設される各増幅装置に備えさせるＵＨＦ増幅回路の動作を続行させた状態で、上記複数箇所に配設される各増幅装置における上記ＶＨＦ増幅回路を休止状態にする場合には、上記特定の場所における電源部において、上記電力制御用のパルスの重畳を中止し、又は重畳を開始して、上記複数箇所に配設される各増幅装置におけるパルスの有無によって入り切り作動するスイッチ要素を開放して、各ＶＨＦ増幅回路に供給される電力を送出させないようにして、上記ＵＨＦ増幅回路の動作を続行させた状態でＶＨＦ増幅回路を休止状態にできるようにした。
【００４４】
さらにこの点の構成を具体的に説明する。
次に47eは、図６、７に表れている複数の各増幅装置９において、ＶＨＦ増幅回路のみ電力供給を遮断する手段として備えさせた電力制御手段で、パルスの重畳の有無でスイッチ要素７６が入り切りし、端子７１に入力される電力が、端子７２に出たり出なかったりするようにした回路である。
パルス検出回路７５は周知の構成であって、電源部１６において重畳されたパルスを検出する回路である。７６はスイッチ要素であり、スイッチ機能を有するトランジスタを例示する。即ち、ベース76bにパルス検出回路７５からの信号が入ると、ＯＮ状態となり、コレクタ76cからエミッタ76e、端子７２に電力が送出される。しかし、パルス検出回路７５からの信号が無くなると、当然のことながらスイッチ要素７６は遮断状態となる。
なお端子７２に対する出力は、常時はパルスを検出させて電力を出力させたり、又は常時はパルスを送らないで、電力を出力させ、ＶＨＦ増幅回路２５に対する休電時にのみパルスを出力させて回路遮断を行うようにしても良い。
【００４５】
なお端子７１に入力される電力は、図示から明らかなように端子７３に対してはストレートで出力されるように結線されている。この外に夫々必要に応じて図示外の周知の回路要素を含めて回路構成を行うと良い。
以上のように構成すると、ＶＨＦアンテナ３に連なるＶＨＦ信号入力端子3a（又はＶＨＦ信号入力端3b）から上記出力端子１１に適正なＶＨＦ信号を、ＵＨＦアンテナ４に連なるＵＨＦ信号入力端子４ａ（又はＵＨＦ信号入力端4b）から上記出力端子１１に適正なＵＨＦ信号を夫々出力でき、地上の受像機１７に適正な信号を届けることができるようにしてある。
【００４６】
図６、７に示される上記切替手段３７は、例えば説明を簡便にするためにリレー回路を用いた例を示す。コイル37a は、アース37cと電源端子37e との間に接続されている。電源端子37eは ＶＨＦ増幅回路２５に供給される電力が供給される状態となるように接続されている。従ってＶＨＦ増幅回路２５に電力（例えば所定電圧が１５ｖ）が供給されている状態では、切替スイッチ37bは実線の位置で閉じた状態となり、ＵＨＦ帯域通過回路３８を利用可能に選択される。上記電力、例えば電圧が１５ｖの電力が供給されない状態では、切替スイッチ37bは破線の位置で閉じた状態となり、特定帯域低減回路３９が選択利用されることになる。
【００４７】
特定の場所1aに備えさせる電源部１６には、ＡＣプラグ５０を通して受け取る交流電源（商用周波数）の電力を、直流の電力にする為の整流回路５４を備えさせる。
上記電源部の整流回路から出力された電力は、上記増幅部９において、上記ＶＨＦ増幅回路２５とＵＨＦ増幅回路３５に供給して、上記ＶＨＦ増幅回路２５とＵＨＦ増幅回路３５とを夫々作動させるようにしてある。
【００４８】
図６、７、８に示される電源部１６の個々の部材は広く知られているものが用いられる。16aは任意の硬質材料例えばプラスチック材で形成されたケース本体、16bは凹状に形成されたケースの端子収容室16cを覆う為の開閉自在のケースの蓋、２１は電源出力端子（テレビ信号受入端子）、２２は電源分離フィルタ、２３はテレビ端子、５１は電圧降下用のトランスを夫々示す。53gは周知のパルスの重畳手段を示し、53bはパルス発信機で、増幅部９までの距離及び増幅部に付設するパルス検出回路７５のタイプに対応する周期性のあるものが用いられる（例えば周期：２０乃至３０ＫＨz）を示す。53aは、伝送線１２に対する重畳用の制御信号を発生させる手段としての重畳回路を示し、パルス発信機53bからのパルス信号を重畳して、端子２１から増幅部９へ送り出すためのものである。パルスの重畳手段53gに備えさせた回路遮断手段（スイッチ）は、これを遮断すれば、重畳回路53aでの重畳機能が消失するようにしてある（又は、これを「入り」又は「切り」の操作でもって重畳回路53aでの重畳機能の「入り」又は「切り」ができるようにしておいても良い）。
この回路遮断手段５６は、必要な時点で回路が遮断（又は接続）されればよいので、例えば図６、７、８に示されるように汎用の入り切り可能なスイッチ、あるいは図８（B）で示されるように、常時は接続されている電線であって、ペンチで切断できるように構成しても良い。
【００４９】
上記構成のものについて動作を説明する。ＡＣプラグ５０から入来する商用電源は、トランス５１で低圧となり、整流器５４において整流され、その電力は、任意の電圧、例えば１５Vの電力となり、図６、７に示される回路の接続状態から明らかなように増幅部９における対応する電力制御手段47eを経由してＵＨＦ増幅回路３５、BS・CSの増幅回路４２、ＶＨＦ増幅回路２５、選択手段３２の電源端子37eに供給され、ＶＨＦ増幅回路２５を作動させると共に選択手段３２におけるリレー37a、切替スイッチ37bを作動させて、図６、７に示されるように、ＵＨＦ信号入力端子4aとＵＨＦ増幅回路３５との間に、ＵＨＦ帯域通過回路３８を介在させる。
【００５０】
この状態では、ＶＨＦアンテナ３、ＵＨＦアンテナ４、BS・CSアンテナ５から増幅部９の夫々のアンテナに係わる入力端子3a（3b）、4a（4b）、5a（5b）に対して対応するテレビ信号が入力される。増幅部９においては図６、７に示されるような構成であるから、入力端子3aからのテレビ信号はＶＨＦ増幅回路２５で増幅され出力端子１１を、また入力端子4aからのテレビ信号はＵＨＦ増幅回路３５で増幅され出力端子１１を、また入力端子5aからのテレビ信号はＢＳ増幅回路４２で増幅され出力端子１１を夫々経由してテレビ受像機１７に適正なテレビ信号を夫々送る。
【００５１】
このような受信状態において、例えば２０１１年にＶＨＦ帯のＴＶ放送が終了すると同時に、ＵＨＦ帯における地上アナログ放送が完全停波した場合には、上記電源部１６における回路遮断手段５６を切断する（または接続する）。すると、電力制御手段47eでパルスの重畳の有無でスイッチ要素７６が切り、端子７１に入力される電力が、端子７２に出ない状態となり、高所におけるＶＨＦ増幅回路２５は休止状態となり、これに対する電力の供給は終了する。よって以後の電力消費は生じない。
また同時に、選択手段３２におけるリレー37aに対する電力供給も終了し、切替スイッチ37bを作動させて、図６、７に破線で示すように、ＵＨＦ信号入力端子4aとＵＨＦ増幅回路３５との間に、特定帯域低減回路３９を介在させる。これによりＵＨＦ信号入力端子4aから入来する信号の内、前述のように妨害波となる恐れのある帯域を低減（除去）させる。
【図面の簡単な説明】
【００５２】
【図１】集合住宅、オフィスビル等の多数のＴＶ設備を備える造営物と、造営物の高所に配置された複数種のアンテナ及びアンテナと増幅装置との関係を説明するための概念図。
【図２】ＶＨＦ帯、ＵＨＦ帯、ＢＳ／ＣＳ帯のＴＶ信号の受信回路を加えた増幅装置の回路図。
【図３】増幅装置の回路図で、複数の増幅装置に対しては夫々電力の供給回路があることを説明する為の回路図。
【図４】ＶＨＦ帯、ＵＨＦ帯、ＢＳ／ＣＳ帯のＴＶ信号の受信回路を加えた増幅装置の回路図。
【図５】増幅装置の回路図で、複数の増幅装置に対しては夫々電力の供給回路があることを説明する為の回路図。
【図６】ＶＨＦ帯、ＵＨＦ帯、ＢＳ／ＣＳ帯のＴＶ信号の受信回路を加えた増幅装置の回路図。
【図７】増幅装置の回路図で、複数の増幅装置に対しては夫々電力の供給回路があることを説明する為の回路図。
【図８】電源部のケースと回路遮断手段の関係を説明する為の斜視図。
【図９】ＵＨＦ帯における地上アナログ放送と地上デジタル放送が利用している周波数帯域と、将来地上デジタル放送の受信に用いられる周波数帯域との比較図である。
【図１０】は電圧変更手段の回路図を示す。
【符号の説明】
【００５３】
１・・・建造、
1a・・・特定の場所1a、
２・・・支柱、
３・・・ＶＨＦアンテナ、
3a・・・ＶＨＦ入力端子、
４・・・ＵＨＦアンテナ、
4a・・・ＵＨＦ入力端子、
５・・・BS・CSアンテナ、
5a・・・BS・CS入力端子、
８・・・ケース、
９・・・増幅装置、
１１・・・出力端子、
１２、・・・伝送線（同軸ケーブル）、
１５・・・分配器（分岐器）、
１６・・・電源部（電源供給装置）、
16a・・・ケース本体、
16b・・・ケースの蓋、
16cはケースの端子収容室、
１７・・・テレビ受像機、
２１・・・電源出力端子、
２２・・・電源分離フィルタ、
２３、15a・・・テレビ端子、
２５・・・ＶＨＦの増幅回路、
２６・・・ＶＨＦ帯通過フィルタ、
２７・・・ＶＨＦ・ＵＨＦ帯通過フィルタ、
２８・・・電源分離フィルタ、
３０・・・トランジスタ、
３１・・・ハイパスフィルタ、
３２・・・選択手段、
３３・・・入力端、
３４・・・出力端、
３５・・・ＵＨＦの増幅回路、
３６・・・ＵＨＦ帯通過フィルタ、
３７・・・切替手段（リレー）、
37a・・・コイル、
37b・・・切替スイッチ（実線）、
37c・・・アース、
37d・・・切替後のスイッチ（破線）、
37e・・・電源端子（負極）、
37f・・・電源端子（正極）、
３８・・・ＵＨＦ帯域通過回路、
３９・・・特定帯域低減回路、
４０・・・電源分離フィルタ、
４１・・・中間周波数帯通過フィルタ（１０３２〜２６０２MHz）、
４２・・・BS・CSの増幅回路、
４３・・ハイパスフィルタ、
４５・・・定電圧回路、
４６・・・負極性通過回路素子、
46d・・・電圧変更手段、
47d・・・定電圧回路、
４７・・・正極性通過回路素子、 
47eは電力制御手段、
５０・・・ＡＣプラグ、
５１・・・トランス、
５２・・・中性点（アース）、
５３・・・整流器における負極性素子、
53g・・・重畳手段、
５４・・・整流器における正極性素子、
５５・・・電圧切替手段、
５６・・・回路遮断手段。
【図１】
2009021766.tif 000003
【図２】
2009021766.tif 000004
【図３】
2009021766.tif 000005
【図４】
2009021766.tif 000006
【図５】
2009021766.tif 000007
【図６】
2009021766.tif 000008
【図７】
2009021766.tif 000009
【図８】
2009021766.tif 000010
【図９】
2009021766.tif 000011
【図１０】
2009021766.tif 000012